(57)【要約】【課題】柔軟な空間の画成を可能とする、パネル接続金具及びこれを用いた間仕切パネルの接続方法・構造を提供する【解決手段】固定部３１ｃと接続部３１ｅを平面視Ｉ字状に一体的に形成した基板３１と、固定部３１ｃと接続部３１ｅとの間において基板３１の両面に固設されたガイド片３２・３２とで、パネル接続金具３０を構成する。前記ガイド片３２の両側端部を基板に略直交する方向に起立してガイド面３２ａを形成し、前記固定部３１ｃ及び接続部３１ｅのそれぞれにおいて、ガイド面３２ａよりも基板３１の側辺側に、パネル１１に形成した上下方向に長尺な係合溝３３と係合する上下方向の切欠３１ａ・３１ｂを形成する。さらに、切欠３１ａ・３１ｂは、基板３１の下辺に開口し、基板３１の上下方向中途部まで切り欠いたものとして、切欠３１のガイド面側縁を垂直面状とし、他側縁を斜面状とする。【選択図】図１１
2006037639.tif 000002
【特許請求の範囲】
【請求項１】
パネルとパネルを直線状に接合するための接続金具であって、
一側を固定部、他側を接続部として、平面視Ｉ字状に形成した基板と、固定部と接続部との間の基板の両面に固設されたガイド片とで構成し、
前記ガイド片の両側端部を基板に略直交する方向に起立して二つのガイド面を形成し、
基板両側にパネルに形成した係合溝と係合する上下方向の切欠を前記ガイド面に沿って設けた
ことを特徴とするパネル接続金具。
【請求項２】
パネルとパネルを直角方向に接合するための接続金具であって、
略平面視Ｌ字状に形成した基板の一側を固定部、他側を接続部として、該固定部及び接続部のそれぞれに基板の両面にガイド片を固設し、
前記ガイド片の一側端部を基板に略直交する方向に起立してガイド面を形成し、
基板両側にパネルに形成した係合溝と係合する上下方向の切欠を前記ガイド面に沿って設けた
ことを特徴とするパネル接続金具。
【請求項３】
パネルの一側端を壁見切に接合するための接続金具であって、
略平面視Ｌ字状に形成した基板の一側を固定部、他側を接続部として、該接続部の基板の両面にガイド片を固設し、
前記ガイド片の一側端部を基板に略直交する方向に起立してガイド面を形成し、
前記固定部のガイド面に沿ってパネルに形成した係合溝と係合する上下方向の切欠を形成し、
前記接続部にボルト孔を形成した
ことを特徴とするパネル接続金具。
【請求項４】
前記切欠を、
基板の下辺に開口し、基板の上下方向中途部まで切り欠いたものとするとともに、
切欠のガイド面側縁を垂直面状、他側縁を斜面状として、切欠の幅を開口で最大とした、
請求項１乃至請求項３のいずれかに記載のパネル接続金具。
【請求項５】
前記切欠に係合するパネルに形成される係合溝を、上下方向に長尺な溝とし、
上部の溝幅をパネル接続金具の基板の厚みより大きいものとし、
下部の溝幅をパネル接続金具の基板の厚みと略等しいものとした、
請求項１乃至請求項４のいずれかに記載のパネル接続金具。
【発明の詳細な説明】
【技術分野】
【０００１】
本発明は、間仕切パネル同士を接続するための接続金具、及び、この接続金具を用いた間仕切パネルの接続構造に関する。
【背景技術】
【０００２】
従来、室内空間を収納家具や間仕切壁にて区切ることにより、間取りを居住者の使いやすいように変更可能とする技術がある。例えば、特許文献１に示す技術である。
空間を間仕切る収納家具や間仕切壁は可動式とされ、空間の使用形態に応じて収納家具や間仕切壁等を移動して、空間を仕切り直すことができるものとされている。
このように、空間の間取りを変更することができるので、改築することなく生活に応じた間取りに変更したり、居住者が入れ替わる際にはその都度間取りを変更したりすることができるので長期耐用住宅に適しており、また、賃貸マンションに採用すればマンションとしての価値を高めることができる。さらに、特に、集合住宅等においては居住者に応じて各戸の仕様を変更する必要がなく、各戸を同一の間取りに構成することができる。
【０００３】
前記間仕切壁は複数の間仕切パネルを連結して構成される。そのため、従来、間仕切パネルの連結構造に関する様々な技術が発明されている。
例えば、特許文献２に記載の技術であり、一方の壁パネルの側面に鉤状片を取り付け、他方の壁パネルの側面に嵌合溝を形成して、鉤状片を嵌合溝に嵌合させることによって壁パネル同士を連結している。この技術では、嵌合溝には、係合を密にするための段部が形成されており、鉤状片嵌合させる際に、鉤状片の移動に伴って段階的に係合が堅くなるようにしている。
また、例えば、特許文献３に記載の技術では、一つの接続金具を用いて、三枚の間仕切壁パネル同士をＴ字状に連結するための構造が公開されている。
【特許文献１】特開２００１−２４１１９４号公報
【特許文献２】特開２０００−１２９８２７号公報
【特許文献３】特開平８−１８９１１２号公報
【発明の開示】
【発明が解決しようとする課題】
【０００４】
上述のような間仕切パネルの立設・接続は、専門の技術を有する業者等によらず、居住者自身で行えることが好ましい。業者に依頼することにより費用が発生するため、一度間仕切壁により空間の画成を行うと、そのままになってしまいがちであり、可動である利点を発揮することができないためである。そのためには、間仕切壁の施工、すなわち、間仕切パネルの立設及び接続が簡易であり、且つ、施工の仕上がりに差ができないような構造であることが望まれる。
また、パネルは自在に接続できることが好ましい。例えば、平面視Ｉ字状やＬ字状やＴ字状の間仕切壁を形成するように間仕切パネルを接続したり、室内空間内部に間仕切壁の自由端を形成したりすることができれば、空間を自在に画成することが可能となる。そして、間仕切パネルを箱状に組んで間仕切壁に一体的な家具を形成したり、間仕切壁で空間の一部を仕切ったりすることが可能となる。
【０００５】
本発明では、上記従来技術等に鑑み、居住空間の自由な利用を目指し、居住者のニーズに応じて簡易に変更できるようにして、柔軟な空間の画成を可能とする、パネル接続金具及びこれを用いた間仕切パネルの接続方法・構造を提供する。
【課題を解決するための手段】
【０００６】
本発明の解決しようとする課題は以上の如くであり、次にこの課題を解決するための手段を説明する。
【０００７】
即ち、請求項１においては、パネルとパネルを直線状に接合するための接続金具であって、一側を固定部、他側を接続部として、平面視Ｉ字状に形成した基板と、固定部と接続部との間の基板の両面に固設されたガイド片とで構成し、前記ガイド片の両側端部を基板に略直交する方向に起立して二つのガイド面を形成し、基板両側にパネルに形成した係合溝と係合する上下方向の切欠を前記ガイド面に沿って設けたものである。
【０００８】
請求項２においては、パネルとパネルを直角方向に接合するための接続金具であって、略平面視Ｌ字状に形成した基板の一側を固定部、他側を接続部として、該固定部及び接続部のそれぞれに基板の両面にガイド片を固設し、前記ガイド片の一側端部を基板に略直交する方向に起立してガイド面を形成し、基板両側にパネルに形成した係合溝と係合する上下方向の切欠を前記ガイド面に沿って設けたものである。
【０００９】
請求項３においては、パネルの一側端を壁見切に接合するための接続金具であって、略平面視Ｌ字状に形成した基板の一側を固定部、他側を接続部として、該接続部の基板の両面にガイド片を固設し、前記ガイド片の一側端部を基板に略直交する方向に起立してガイド面を形成し、前記固定部のガイド面に沿ってパネルに形成した係合溝と係合する上下方向の切欠を形成し、前記接続部にボルト孔を形成したものである。
【００１０】
請求項４においては、前記切欠を、基板の下辺に開口し、基板の上下方向中途部まで切り欠いたものとするとともに、切欠のガイド面側縁を垂直面状、他側縁を斜面状として、切欠の幅を開口で最大としたものである。
【００１１】
請求項５においては、前記切欠に係合するパネルに形成される係合溝を、上下方向に長尺な溝とし、上部の溝幅をパネル接続金具の基板の厚みより大きいものとし、下部の溝幅をパネル接続金具の基板の厚みと略等しいものとしたものである。
【発明の効果】
【００１２】
本発明の効果として、以下に示すような効果を奏する。
【００１３】
請求項１においては、パネル同士をＩ字状に接続することができる。パネルに設けられた係合溝に、接続金具の固定部又は接続部をガイド面がパネル側面に当接するまで挿入して、ガイド面がパネル側面に当接した状態を維持しながら接続金具を上下方向に移動させることによって、パネルに金具を係合させ、パネル同士を接続することができる。パネル同士の接続に際して、工具を要することがなく、接続作業が簡易である。
【００１４】
請求項２においては、パネル同士をＬ字状に接続することができる。パネルに設けられた係合溝に、接続金具の固定部又は接続部をガイド面がパネル側面に当接するまで挿入して、ガイド面がパネル側面に当接した状態を維持しながら接続金具を上下方向に移動させることによって、パネルに金具を係合させ、パネル同士を接続することができる。パネル同士の接続に際して、工具を要することがなく、接続作業が簡易である。
【００１５】
請求項３においては、パネルに壁見切等の部材を接続して、間仕切壁の自由端を自在に形成することができる。パネルに設けられた係合溝に、接続金具の固定部又は接続部をガイド面がパネル側面に当接するまで挿入して、ガイド面がパネル側面に当接した状態を維持しながら接続金具を上下方向に移動させることによって、パネルに金具を係合させることができ、接続金具のボルト孔を用いて壁見切等の部材と接続金具とを固定することができる。
【００１６】
請求項４においては、係合溝において接続金具を下方向に移動させるに伴って、接続金具とパネルとの係合を密にすることができ、また、パネルを他方のパネルに近づけることができる。
【００１７】
請求項５においては、係合溝に接続金具が挿入しやすく、また、係合溝において接続金具を下方向に移動させるに伴って、接続金具とパネルとの係合を密にすることができる。
【発明を実施するための最良の形態】
【００１８】
次に、発明の実施の形態を説明する。
図１は本発明の実施例に係る間仕切パネルの全体的な構成を示す側面断面図、図２は間仕切パネルの上部構造を示す側面断面図、図３は間仕切パネルの立設した状態における上部構造を示す側面断面図、図４は間仕切パネルの下部構造を示す側面断面図、図５は巾木を取り付けた間仕切パネルの下部構造を示す側面断面図である。
図６はＩ字接続用接続金具で間仕切パネル同士をＩ字状に接続した様子を示す平面断面図、図７はＩ字接続用接続金具を示す斜視図、図８はＩ字接続用接続金具を示す平面図、図９はＩ字接続用接続金具を示す正面図である。
図１０は間仕切パネル側面に設けた係合溝を示す図、図１１はＩ字接続用接続金具を用いたパネル接合の様子を示す斜視図である。
図１２は間仕切パネル側面にＩ字接続用接続金具を固定した様子を示す図、図１３はＩ字接続用接続金具に間仕切パネルを接続する様子を示す図、図１４は間仕切パネル側面に間仕切パネルを接続する様子を示す図である。
図１５は端部用接続金具で間仕切パネルと壁見切とを接続した様子を示す平面断面図、図１６は端部用接続金具を示す正面図である。
図１７はＬ字接続用接続金具で間仕切パネル同士をＬ字状に接続した様子を示す平面断面図、図１８はＬ字接続用接続金具を示す平面図、図１９は図１８におけるＢ方向矢視図、図２０は図１８におけるＡ方向矢視図である。
図２１はＬ字接続用接続金具と端部用接続金具とで間仕切パネル及び壁見切を接続して形成した間仕切壁のＬ字状接続部を示す平面断面図、図２２はＩ字接続用接続金具とＬ字接続用接続金具とで間仕切パネル及び壁見切を接続して形成した間仕切壁のＴ字状接続部を示す平面断面図、図２３はＩ字接続用接続金具とＬ字接続用接続金具とで間仕切パネル及び壁見切を接続して形成した間仕切壁の十字状接続部を示す平面断面図である。
【００１９】
本発明の実施例に係る間仕切パネルの構造から説明する。
図１に示す如く、間仕切パネル１１は天井レール１２と床用ランナー１３との間に配設される。間仕切パネル１１の表裏に設けた化粧板２１・２１間において、間仕切パネル１１の上端辺には天井レール１２と係合する係合部１５が設けられる。
天井レール１２は天井面に固定され、この天井レール１２の直下において、床用ランナー１３が床に固定される。間仕切パネル１１はその上端を天井レール１２に係合させるとともに上方へ押し上げた状態で、床用ランナー１３上に載置して、設置する。すなわち、間仕切パネル１１は、天井と床との間に突っ張った状態に立設される。
そして、間仕切パネル１１の下部には、間仕切パネル１１の下部の保護を行うとともに床の収まりをよくするために、巾木固定部材１９を介して巾木１４が取り付けられる。
【００２０】
、
図２及び図３に示す如く、前記係合部１５は間仕切パネル１１の上面を構成し、該係合部１５には間仕切パネル１１の上端辺において該間仕切パネル１１へ上下方向に進退可能な突起部材２３が設けられる。該突起部材２３は弾性部材２４によって上方へ突出する方向に付勢されている。
従って、間仕切パネル１１を設置する際には、天井レール１２に間仕切パネル１１の突起部材２３を係止させ、上方へ間仕切パネル１１を押し上げると、弾性部材２４が縮んで突起部材２３がパネル内部に後退する。これにより、間仕切パネル１１と自然長にある突起部材２３と脚１６とを合わせた上下高さが、天井高より大きくとも、天井レール１２と床用ランナー１３との間に立設される。また、間仕切パネル１１を設置後は、弾性部材２４により突起部材２３が上方へ付勢されることにより、間仕切パネル１１が天井レール１２と床用ランナー１３との間で上下方向に突っ張った状態に立設されることになる。
【００２１】
一方、図４に示す如く、間仕切パネル１１の表裏に設けた化粧板２１・２１間において、板状体の下端辺には下部フレーム４２が設けられており、該下部フレーム４２に床用ランナー１３と係合する複数の脚１６・１６・・・が設けられている。
脚１６には、長さ調節機構１７が設けられている。前記下部フレーム４２下面にナット４２ａが固設されて、ボルト孔が形成されている。このナット４２ａに、脚１６を構成する螺子部１７ａが螺入されている。螺子部１７ａには操作用のナット１７ｂが固設されており、該ナット１７ｂを回転操作して螺子部１７ａを回転させることにより、脚１６はパネル内部より上下方向に進退可能とされている。従って、間仕切パネル１１を設置する際に、立設された間仕切パネル１１の脚１６を更に伸張させることにより、間仕切パネル１１は天井レール１２と床用ランナー１３との間でより強固に突っ張った状態となる。
【００２２】
また、図５に示す如く、間仕切パネル１１の下面と床との間、すなわち、脚１６によって形成された間仕切パネル１１下面と床との間隙に、巾木固定部材１９が嵌入される。巾木固定部材１９は間仕切パネル１１下辺と床用ランナー１３とに係合するように形成されている。そして、巾木固定部材１９に形成された溝に巾木１４に形成された突起が嵌合され、間仕切パネル１１下部に巾木１４が固定される。
【００２３】
上述の如く構成される間仕切パネル１１は、複数枚を並設することによって、室内空間を間仕切ることができる。隣接する間仕切パネル１１と間仕切パネル１１は、接続金具３０を用いて接続される。
接続金具３０は、直線的に二枚の間仕切パネル１１・１１を接続するためのＩ字接続用接続金具３０ｉ（図６）、間仕切パネル１１端部に設ける壁見切２５と接続するための端部用接続金具３０ｅ（図１５）、Ｌ字状に二枚の間仕切パネル１１・１１を接続するためのＬ字接続用接続金具３０Ｌ（図１７）の、各種類があり、間仕切パネル１１の接続形態に応じて使い分ける。
【００２４】
まず、接続金具３０の一形態であるＩ字接続用接続金具３０ｉについて説明する。
【００２５】
図６乃至図９に示す如く、Ｉ字接続用接続金具３０ｉは、固定用切欠３１ａと、接続用切欠３１ｂとをそれぞれ形成した基板３１と、該基板３１の両面に固設されるＵ字状の補強ガイド片３２・３２とで構成される。
補強ガイド片３２は、基板３１に接合される部分と、該基板３１に直交する方向に起立するガイド面３２ａとが形成される。補強ガイド片３２を基板３１に接合することで基板３１の剛性を高めるとともに、ガイド面３２ａが間仕切パネル１１の側面に当接することによって、固定時及び接続時のＩ字接続用接続金具３０ｉの移動方向をガイドし、Ｉ字接続用接続金具３０ｉの基板３１の面方向及びこれに直行する方向の振れを抑制し、より安定した状態でＩ字接続用接続金具３０ｉを間仕切パネル１１に固定することができるようにしている。
【００２６】
前記補強ガイド片３２・３２は、基板３１の幅方向略中央に配置されており、該補強ガイド片３２・３２を介して基板３１の一側がパネル固定部３１ｃであり、他側がパネル接続部３１ｅである。
【００２７】
基板３１のパネル固定部３１ｃに形成される固定用切欠３１ａは、間仕切パネル１１に接続金具３０を固定するための切り欠きであり、基板３１に設けられた補強ガイド片３２のガイド面３２ａよりも基板３１の側辺側の直ぐ側部において、基板３１の下辺に開口し上方へ向かって基板３１の上下方向略中心部近傍まで切り欠かれて、形成される。
固定用切欠３１ａは、その開口から基板３１の上下方向略中心部へ向かって切り欠きの幅が狭くなるようにテーパーが設けられる。固定用切欠３１ａの補強ガイド片３２側の縁は垂直面であり、他側の縁は補強ガイド片３２側へ近づく斜面とされる。
【００２８】
また、基板３１のパネル接続部３１ｅに形成される接続用切欠３１ｂは、間仕切パネル１１に取り付けられた接続金具３０に、別の間仕切パネル１１を接続するための切り欠きであり、補強ガイド片３２を介して固定用切欠３１ａの反対側であって、基板３１に設けられた補強ガイド片３２のガイド面３２ａよりも基板３１の側辺側の直ぐ側部に設けられる。
接続用切欠３１ｂは、基板３１の下辺に開口し上方へ向かって基板３１の上下方向略中心部近傍まで切り欠かれており、その開口から基板３１の上下方向略中心部へ向かって切り欠きの幅が狭くなるようにテーパーが設けられた挿入部ｘと、該挿入部ｘより奥部に切り欠きの幅が略一定となるように設けられた固定部ｙとが、連続して形成される。
接続用切欠３１ｂの補強ガイド片３２側の縁は垂直面であり、他側の縁は挿入部ｘでは補強ガイド片３２側へ近づく斜面、固定部ｙでは垂直面である。これにより、接続用切欠３１ｂの補強ガイド片３２側と反対側の縁に沿って、接続用切欠３１ｂを上方へ移動すれば、徐々に補強ガイド片３２側へ引き寄せられることになる。
【００２９】
図１０及び図１１に示す如く、間仕切パネル１１の両側に設けられた化粧板２１・２１間に、側部フレーム３４が設けられており、該側部フレーム３４の側面には上下方向に複数の係合溝３３・３３・・・が形成される。
前記係合溝３３は、上下方向を長手方向とする溝であり、その上部に接続金具３０の基板３１の厚さよりも幅の広い挿入部３３ａが設けられており、また、その下部に接続金具３０の基板３１の厚みと略等しい幅の固定部３３ｃが設けられており、挿入部３３ａと固定部３３ｃとの間にはテーパー部３３ｂが形成される。
【００３０】
また、図６にも示す如く、前記側部フレーム３４には、係合溝３３の両側方にパッキン３６・３６を固定するための溝３５・３５が形成されている。溝３５は間仕切パネル１１の上下間に亘って上下方向に延在しており、ここにパッキン３６が挿入される。該パッキン３６が、接続される間仕切パネル１１と間仕切パネル１１との間に介装されることによって、パネル間の間隙を閉塞するとともに、密閉性を高めて、間仕切パネル１１により仕切られる空間と空間との間で音の漏れや気体の往来の抑制が図られる。
【００３１】
続いて、パネルの接続手順について、説明する。
【００３２】
上述の接続金具３０を利用して間仕切パネル１１・１１を接続する際には、図１２に示す如く、まず、既に立設されている間仕切パネル１１の側面に、接続金具３０を固定する。なお、接続金具３０の数は間仕切パネル１１の大きさに合わせて適宜調整する。
図１１にも示す如く、Ｉ字接続用接続金具３０ｉのパネル固定部３１ｃを、補強ガイド片３２のガイド面３２ａが側部フレーム３４に当接するまで、係合溝３３の挿入部３３ａに挿入し、接続金具３０を下方へ押し下げて、間仕切パネル１１に接続金具３０を固定する。
係合溝３３の挿入部３３ａは、接続金具３０の基板３１の厚みより幅の広い溝であり、接続金具３０を容易に挿入することができる。そして、接続金具３０を下方へ押し下げることで、接続金具３０の基板３１の固定用切欠３１ａが係合溝３３を下方へ摺動し、固定部３３ｃに至る。このとき、固定用切欠３１ａに形成されたテーパーによって、接続金具３０は係合溝３３を下方へ摺動するに伴って徐々に強固に固定されていく。
【００３３】
そして、図１３に示す如く、接続しようとする間仕切パネル１１を既に立設されている間仕切パネル１１の側方に仮立てし、接続しようとする間仕切パネル１１の側面に設けられた係合溝３３の挿入部３３ａに、既に立設されている間仕切パネル１１の側面に固定されたＩ字接続用接続金具３０ｉのパネル接続部３１ｅを、補強ガイド片３２のガイド面３２ａが側部フレーム３４に当接するまで、係合溝３３の挿入部３３ａに挿入する。
【００３４】
最後に、図１４に示す如く、接続しようとする間仕切パネル１１の脚１６に設けたアジャスタ１７を操作して、該脚１６を伸張させる。このとき、間仕切パネル１１が上方へ押し上げられることになり、これに伴って接続しようとする間仕切パネル１１の係合溝３３が、各Ｉ字接続用接続金具３０ｉに対して相対的に上昇することにより、Ｉ字接続用接続金具３０ｉの基板３１の接続用切欠３１ｂが該係合溝３３を下方へ摺動し、固定部３３ｃに至る。また、接続用切欠３１ｂに形成されたテーパーによって、Ｉ字接続用接続金具３０ｉは係合溝３３を下方へ摺動するに伴って徐々に強固に固定されるとともに、接続しようとする間仕切パネル１１は既に立設されている間仕切パネル１１側へ引き寄せられていく。
これにより、立設されている間仕切パネル１１の側方に間仕切パネル１１が接続される。
【００３５】
次に、接続金具３０の一形態である端部用接続金具３０ｅについて説明する。
【００３６】
図１５及び図１６に示す如く、端部用接続金具３０ｅは間仕切パネル１１の側面に壁見切２５を接続するための接続金具３０である。壁見切２５を接続することによって、室内空間の所望の位置に間仕切壁の自由端を形成することができる。
端部用接続金具３０ｅは、パネル固定部３１ｃと見切接続部３１ｄとが略直交するように平面視略Ｌ字状に一体的に設けられた基板３１と、該基板３１の両面に固設された平面視略Ｌ字状の補強ガイド片３２・３２とで構成されている。
【００３７】
基板３１のパネル固定部３１ｃには固定用切欠３１ａが形成される。該固定用切欠３１ａは、間仕切パネル１１に接続金具３０を固定するための切り欠きであり、基板３１に設けられた補強ガイド片３２のガイド面３２ａよりも基板３１の側辺側の直ぐ側部において、基板３１の下辺に開口し、上方へ向かって基板３１の上下方向略中心部近傍まで切り欠かれて、形成される。
固定用切欠３１ａは、その開口から基板３１の上下方向略中心部へ向かって切り欠きの幅が狭くなるようにテーパーが設けられる。固定用切欠３１ａの補強ガイド片３２側の縁は垂直面であり、他側の縁は補強ガイド片３２側へ近づく斜面とされる。
【００３８】
一方、基板３１の見切接続部３１ｄには、壁見切２５と螺結するためのボルト孔が穿設されている。
【００３９】
間仕切パネル１１を壁見切２５とを端部用接続金具３０ｅにて接続する際には、まず、壁見切２５の側面に端部用接続金具３０ｅを固定する。端部用接続金具３０ｅの基板３１の見切接続部３１ｄに設けられたボルト孔に接続用のボルトを螺入して、端部用接続金具３０ｅの見切接続部３１ｄと壁見切２５の側面とを螺結し、端部用接続金具３０ｅを壁見切２５に固定する。
【００４０】
続いて、壁見切２５に固定された端部用接続金具３０ｅのパネル固定部３１ｃを、間仕切パネル１１の側面に設けられた係合溝３３の挿入部３３ａに、補強ガイド片３２のガイド面３２ａが側部フレーム３４に当接するまで挿入する。そして、壁見切２５を端部用接続金具３０ｅとともに押し下げ、端部用接続金具３０ｅの固定用切欠３１ａを、間仕切パネル１１側面の係合溝３３の固定部３３ｃに係合させる。このとき、端部用接続金具３０ｅが下方へ移動するに伴い、係合溝３３及び固定用切欠３１ａの形状により、徐々に間仕切パネル１１側へ壁見切２５が引き寄せられるとともに、強固に間仕切パネル１１に端部用接続金具３０ｅが固定される。
これにより、間仕切パネル１１に壁見切２５が接続される。
【００４１】
次に、接続金具３０の一形態であるＬ字接続用接続金具３０Ｌについて説明する。
【００４２】
図１７乃至図２０に示す如く、端部用接続金具３０ｅは間仕切パネル１１と間仕切パネル１１とを略直交するよう（Ｌ字状）に接続するための接続金具３０である。
Ｌ字接続用接続金具３０Ｌは、パネル固定部３１ｃとパネル接続部３１ｅとが略直交するように平面視略Ｌ字状に一体的に設けられた基板３１と、パネル固定部３１ｃとパネル接続部３１ｅのそれぞれにおいて該基板３１の両面に固設された平面視略Ｌ字状の補強ガイド片３２・３２・・とで構成される。
【００４３】
基板３１のパネル固定部３１ｃには固定用切欠３１ａが形成される。該固定用切欠３１ａは、間仕切パネル１１に接続金具３０を固定するための切り欠きであり、基板３１に設けられた補強ガイド片３２のガイド面３２ａよりも基板３１の側辺側の直ぐ側部において、基板３１の下辺に開口し、上方へ向かって基板３１の上下方向略中心部近傍まで切り欠かれて、形成される。
固定用切欠３１ａは、その開口から基板３１の上下方向略中心部へ向かって切り欠きの幅が狭くなるようにテーパーが設けられる。固定用切欠３１ａの補強ガイド片３２側の縁は垂直面であり、他側の縁は補強ガイド片３２側へ近づく斜面とされる。
【００４４】
基板３１のパネル接続部３１ｅには接続用切欠３１ｂが形成される。接続用切欠３１ｂは、間仕切パネル１１に取り付けられた端部用接続金具３０ｅに、別の間仕切パネル１１を接続するための切り欠きであり、基板３１のパネル接続部３１ｅに設けられた補強ガイド片３２のガイド面３２ａよりも基板３１の側辺側の直ぐ側部に設けられる。
接続用切欠３１ｂは、基板３１の下辺に開口し上方へ向かって基板３１の上下方向略中心部近傍まで切り欠かれており、その開口から基板３１の上下方向略中心部へ向かって切り欠きの幅が狭くなるようにテーパーが設けられた挿入部ｘと、該挿入部ｘより奥部に切り欠きの幅が略一定となるように設けられた固定部ｙとが、連続して形成される。
接続用切欠３１ｂの補強ガイド片３２側の縁は垂直面であり、他側の縁は挿入部ｘでは補強ガイド片３２側へ近づく斜面、固定部ｙでは垂直面である。これにより、接続用切欠３１ｂの補強ガイド片３２側と反対側の縁に沿って、接続用切欠３１ｂを上方へ移動すれば、徐々に補強ガイド片３２側へ引き寄せられることになる。
【００４５】
間仕切パネル１１と間仕切パネル１１とをＬ字接続用接続金具３０Ｌにて接続する手順は、間仕切パネル１１と間仕切パネル１１とをＬ字接続用接続金具３０Ｌと略同様であるので説明を省略する。
【００４６】
上述のＬ字接続用接続金具３０Ｌと端部用接続金具３０ｅとを併用することにより、図２１に示す如く、二枚の間仕切パネル１１・１１を平面視Ｌ字状に接続し、二枚の間仕切パネル１１・１１により形成される角部に壁見切２５を設けることができる。
既に立設されている間仕切パネル１１の側面に設けられた複数の係合溝３３・３３・・・のうち、一部の係合溝３３に端部用接続金具３０ｅを固定して間仕切パネル１１に壁見切２５を接続し、他の一部の係合溝３３にＬ字接続用接続金具３０Ｌを固定して間仕切パネル１１を接続するのである。このようにして、一枚の間仕切パネル１１の一側の側面に、直線方向へ壁見切２５を、直交する方向へ間仕切パネル１１・１１を接続することができる。
【００４７】
また、上述のＬ字接続用接続金具３０ＬとＩ字接続用接続金具３０ｉとを併用することにより、図２２に示す如く、三枚の間仕切パネル１１・１１・１１を平面視Ｔ字状に接続することができる。
既に立設されている間仕切パネル１１の側面に設けられた複数の係合溝３３・３３・・・のうち、一部の係合溝３３をＩ字接続に利用し、他の一部の係合溝３３をＬ字接続に利用することにより、一枚の間仕切パネル１１の一側の側面に、直線方向及び直交する方向の両方向へ間仕切パネル１１・１１を接続することができる。
【００４８】
さらに、上述のＬ字接続用接続金具３０ＬとＩ字接続用接続金具３０ｉとを併用することにより、図２３に示す如く、四枚の間仕切パネル１１・１１・・を平面視十字状に接続することができる。
既に立設されている間仕切パネル１１の側面に設けられた複数の係合溝３３・３３・・・のうち、一部の係合溝３３をＩ字接続に利用し、他の一部の係合溝３３をＬ字接続に利用することにより、一枚の間仕切パネル１１の一側の側面に、直線方向及び直交する方向の両方向へ間仕切パネル１１・１１を接続することができる。
【００４９】
上述の如く、本発明に係る間仕切パネルの接続構造では、Ｉ字接続用接続金具３０ｉと、端部用接続金具３０ｅと、Ｌ字接続用接続金具３０Ｌとの、三種類の接続金具３０を利用することによって、平面視Ｉ字状、Ｌ字状、Ｔ字状又は十字状に間仕切パネル同士又は間仕切パネルと壁見切とを接続することができる。いずれの接続形態においても、間仕切パネルは同一のものであり、また、その接続作業も接続形態によらず略同一であり、簡易な作業である。特に、Ｌ字状接続やＩ字状接続に際しては、工具を必要としないため、より簡易である。
【００５０】
従って、本実施例に係る間仕切パネル１１の立設作業、接続作業とも、作業が簡易であり、専門の技術を要することなく、間仕切パネル１１を移動したり、着脱したりすることができる。
しかも、接続金具３０の形態を選択することにより、略同様の接続手順にて、間仕切パネル１１の様々な接続形態に対応することができる。従って、間仕切パネル１１の接続作業の仕上がりを均一化させることができ、品質の安定を図ることができる。また、どのような接続形態であっても間仕切パネル１１は同一のものを使用することで部材を汎用化させることができ、比較的安価な接続金具３０にバリエーションを設けることで、コストの低減を図ることができる。
【００５１】
また、間仕切パネル１１では、空間を完全に仕切るだけではなく、壁見切２５を間仕切パネル１１に接続することで、空間内部において間仕切壁の自由端を形成することができるので、間仕切パネル１１を組み合わせることによって家具を形成したり、間仕切パネル１１に開口部や扉を設けたりすることによって、空間を連通させる開口を形成することができる。
【００５２】
また、間仕切パネル１１は天井と床との間に突っ張った形で立設されており、天井と間仕切パネル１１との間には天井レール１２が、床と間仕切パネル１１との間には巾木１４及び床用ランナー１３が設けられ、間仕切パネル１１間にはパッキン３６が介装される。これらにより、立て付けの壁と同程度の、遮音性・断熱性・強度を備えることができる。
【図面の簡単な説明】
【００５３】
【図１】本発明の実施例に係る間仕切パネルの全体的な構成を示す側面断面図。
【図２】間仕切パネルの上部構造を示す側面断面図。
【図３】間仕切パネルの立設した状態における上部構造を示す側面断面図。
【図４】間仕切パネルの下部構造を示す側面断面図。
【図５】巾木を取り付けた間仕切パネルの下部構造を示す側面断面図。
【図６】Ｉ字接続用接続金具で間仕切パネル同士をＩ字状に接続した様子を示す平面断面図。
【図７】Ｉ字接続用接続金具を示す斜視図。
【図８】Ｉ字接続用接続金具を示す平面図。
【図９】Ｉ字接続用接続金具を示す正面図。
【図１０】間仕切パネル側面に設けた係合溝を示す図。
【図１１】Ｉ字接続用接続金具を用いたパネル接合の様子を示す斜視図。
【図１２】間仕切パネル側面にＩ字接続用接続金具を固定した様子を示す図。
【図１３】Ｉ字接続用接続金具に間仕切パネルを接続する様子を示す図。
【図１４】間仕切パネル側面に間仕切パネルを接続する様子を示す図。
【図１５】端部用接続金具で間仕切パネルと壁見切とを接続した様子を示す平面断面図。
【図１６】端部用接続金具を示す正面図。
【図１７】Ｌ字接続用接続金具で間仕切パネル同士をＬ字状に接続した様子を示す平面断面図。
【図１８】Ｌ字接続用接続金具を示す平面図。
【図１９】図１８におけるＢ方向矢視図。
【図２０】図１８におけるＡ方向矢視図。
【図２１】Ｌ字接続用接続金具と端部用接続金具とで間仕切パネル及び壁見切を接続して形成した間仕切壁のＬ字状接続部を示す平面断面図。
【図２２】Ｉ字接続用接続金具とＬ字接続用接続金具とで間仕切パネル及び壁見切を接続して形成した間仕切壁のＴ字状接続部を示す平面断面図。
【図２３】Ｉ字接続用接続金具とＬ字接続用接続金具とで間仕切パネル及び壁見切を接続して形成した間仕切壁の十字状接続部を示す平面断面図。
【符号の説明】
【００５４】
１１  間仕切パネル
１２  天井レール
１３  床用ランナー
１４  巾木
２５  壁見切
３０  接続金具
３０ｉ  Ｉ字接続用接続金具
３０ｅ  端部用接続金具
３０Ｌ  Ｌ字接続用接続金具
３１  基板
３１ａ  固定用切欠
３１ｂ  接続用切欠
３１ｃ  パネル固定部
３１ｄ  見切接続部
３１ｅ  パネル接続部
３２  補強ガイド片
３３  係合溝
３４  側部フレーム
【図１】
2006037639.tif 000003
【図２】
2006037639.tif 000004
【図３】
2006037639.tif 000005
【図４】
2006037639.tif 000006
【図５】
2006037639.tif 000007
【図６】
2006037639.tif 000008
【図７】
2006037639.tif 000009
【図８】
2006037639.tif 000010
【図９】
2006037639.tif 000011
【図１０】
2006037639.tif 000012
【図１１】
2006037639.tif 000013
【図１２】
2006037639.tif 000014
【図１３】
2006037639.tif 000015
【図１４】
2006037639.tif 000016
【図１５】
2006037639.tif 000017
【図１６】
2006037639.tif 000018
【図１７】
2006037639.tif 000019
【図１８】
2006037639.tif 000020
【図１９】
2006037639.tif 000021
【図２０】
2006037639.tif 000022
【図２１】
2006037639.tif 000023
【図２２】
2006037639.tif 000024
【図２３】
2006037639.tif 000025